【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
装置であって
以前にユーザによって実行され、当該装置によって認識されている１つ以上のサブジェスチャおよびその順序に基づいて、当該装置に対する１つ以上の可能なコマンドを予測するように構成されたジェスチャ予測ユニットと、
ユーザ・インタフェースにおいて前記１つ以上の可能なコマンドの後続するサブジェスチャを示すように構成されたディスプレイと、を備える、前記装置。
【請求項２】
前記後続するサブジェスチャは、前記コマンドを完了させるための前記後続するジェスチャの仕方についての情報と共に、ヒントによって前記ユーザ・インタフェースにおいて示される、請求項１に記載の装置。
【請求項３】
前記ディスプレイは、さらに、当該装置によって認識される前記１つ以上のサブジェスチャを示すように構成されている、請求項１または２に記載の装置。
【請求項４】
１つの可能なコマンドの前記後続するサブジェスチャがユーザによって実行され、当該装置によって認識された場合、他の可能なコマンドの前記後続するサブジェスチャが前記ユーザ・インタフェースにおいて消える、請求項１または２に記載の装置。
【請求項５】
前記ディスプレイにおける前記ヒントおよび前記１つ以上の可能なコマンドのインジケーションは不透明度を有し、当該不透明度は、前記１つ以上の可能なコマンドが前記ユーザによって実行され当該装置によって認識された場合次第に減少する、請求項２に記載の装置。
【請求項６】
装置によるジェスチャ認識のための方法であって、
前記装置によって以前に認識された１つ以上のサブジェスチャに基づいて前記装置に対する１つ以上の可能なコマンドを予測するステップと、
ユーザ・インタフェースによって前記１つ以上の可能なコマンドの後続するサブジェスチャを示すステップと、を含む、前記方法。
【請求項７】
前記後続するサブジェスチャは、前記ユーザ・インタフェースにおいて表示されるヒントによって示され、前記ユーザによって実行される前記１つ以上のサブジェスチャのインジケーションもまた、前記ユーザ・インタフェースにおいて示される、請求項６に記載の方法。
【請求項８】
１つの可能なコマンドの前記後続するサブジェスチャが、前記装置によって認識された場合、前記ユーザ・インタフェースにおける他の可能なコマンドの前記後続するサブジェスチャを削除するステップをさらに含む、請求項６または７に記載の方法。
【請求項９】
前記ヒントは、前記コマンドを完了させるために、前記後続するサブジェスチャの仕方についての情報と共に表示される、請求項７に記載の方法。
【請求項１０】
ジェスチャ認識システムによって実行可能なプログラムであって、
以前にユーザによって実行され、前記ジェスチャ認識システムによって認識されている少なくとも１つのサブジェスチャおよびその順序に従って、少なくとも１つのジェスチャ・コマンドの後続するサブジェスチャをディスプレイ・ウインドウにおいて示す命令を含む、前記プログラム。
【請求項１１】
前記後続するサブジェスチャに対して前記少なくとも１つのジェスチャ・コマンドを完了させるための前記後続するジェスチャの仕方についての情報と共に、ヒントを表示する命令をさらに含む、請求項１０に記載のプログラム。
【請求項１２】
前記ジェスチャ認識システムによって認識される少なくとも１つのサブジェスチャのインジケーションを、前記ディスプレイ・ウインドウにおいて前記ヒントに対応する位置に表示する命令をさらに含む、請求項１１に記載のプログラム。
【請求項１３】
１つのジェスチャ・コマンドの前記後続するサブジェスチャが前記ユーザによって実行され、前記ジェスチャ認識システムによって認識された場合、他のジェスチャ・コマンドの後続するサブジェスチャが前記ディスプレイ・ウインドウから消えるようにする命令をさらに含む、請求項１０〜１２のいずれか１項に記載のプログラム。
【請求項１４】
前記ヒントおよび前記少なくとも１つのサブジェスチャのインジケーションを有する前記ディスプレイ・ウインドウは、不透明度を有し、当該不透明度は、前記後続するサブジェスチャが前記ユーザによって実行され、前記ジェスチャ認識システムによって認識された場合次第に減少する、請求項１２に記載のプログラム。
【請求項１５】
前記後続するサブジェスチャは、以前にユーザによって実行され、前記ジェスチャ認識システムによって認識された前記少なくとも１つのサブジェスチャと同一である、請求項１０〜１２のいずれか１項に記載のプログラム。
【手続補正２】
【補正対象書類名】明細書
【補正対象項目名】００３０
【補正方法】変更
【補正の内容】
【００３０】
上述した内容は、本発明の実施形態を例示しているだけに過ぎず、従って、当業者であれば、本明細書中で明示的に記載されていなくとも、本発明の原理を実施し、本発明の精神および範囲に含まれる多くの代替的な構成を企図することが可能であることが理解できよう。
以下に本発明の他の実施形態を例示する。
［付記１］  ジェスチャ認識システムにおけるユーザ・インタフェースであって、
以前にユーザによって実行され、前記ジェスチャ認識システムによって認識されている少なくとも１つのサブジェスチャおよびその順序に従って、少なくとも１つのジェスチャ・コマンドの後続するサブジェスチャを示すように構成されたディスプレイ・ウインドウを含む、前記ユーザ・インタフェース。
［付記２］  前記後続するサブジェスチャは、前記少なくとも１つのジェスチャ・コマンドを完了させるための前記後続するジェスチャの仕方についての情報と共に、ヒントによって示される、付記１に記載のユーザ・インタフェース。
［付記３］  前記ジェスチャ認識システムによって認識される少なくとも１つのサブジェスチャのインジケーションもまた、前記ディスプレイ・ウインドウ内の前記ヒントに対応する位置に表示される、付記２に記載のユーザ・インタフェース。
［付記４］  １つのジェスチャ・コマンドの前記後続するサブジェスチャが前記ユーザによって実行され、前記ジェスチャ認識システムによって認識されると、他のジェスチャ・コマンドの後続するサブジェスチャが前記ディスプレイ・ウインドウから消える、付記１〜３のいずれか１項に記載のユーザ・インタフェース。
［付記５］  前記ヒントおよび少なくとも１つのサブジェスチャの前記インジケーションを有する前記ディスプレイ・ウインドウは、不透明度を有し、当該不透明度は、前記後続するサブジェスチャが前記ユーザによって実行され、前記ジェスチャ認識システムによって認識されていると、次第に減少する、付記４に記載のユーザ・インタフェース。
［付記６］  前記後続するサブジェスチャは、前にユーザによって実行され、前記ジェスチャ認識システムによって認識された前記少なくとも１つのサブジェスチャと同一である、付記１〜５のいずれか１項に記載のユーザ・インタフェース。
［付記７］  装置であって、
以前にユーザによって実行され、ジェスチャ認識システムによって認識されている１つ以上のサブジェスチャおよびその順序に基づいて、当該装置に対する１つ以上の可能なコマンドを予測するように構成されたジェスチャ予測ユニットと、
ユーザ・インタフェースにおいて前記１つ以上の可能なコマンドの後続するサブジェスチャを示すように構成されたディスプレイと、を含む、前記装置。
［付記８］  前記後続するサブジェスチャは、前記コマンドを完了させるための前記後続するジェスチャの仕方についての情報と共に、ヒントによって前記ユーザ・インタフェースにおいて示される、付記７に記載の装置。
［付記９］  前記ディスプレイは、さらに、当該装置によって認識される前記１つ以上のサブジェスチャを示すように構成されている付記７または８に記載の装置。
［付記１０］  １つの可能なコマンドの前記後続するサブジェスチャがユーザによって実行され、当該装置によって認識されていると、他の可能なコマンドの後続するサブジェスチャが前記ユーザ・インタフェースにおいて消える、付記７〜９のいずれか１項に記載の装置。
［付記１１］  前記ディスプレイにおける前記ヒントおよび１つ以上の可能なコマンドの前記インジケーションは不透明度を有し、当該不透明度は、前記１つ以上の可能なコマンドが前記ユーザによって実行され当該装置によって認識されると次第に減少する、付記７〜１０のいずれか１項に記載の装置。
［付記１２］  装置におけるジェスチャ認識のための方法であって、
前記装置によって以前に認識された１つ以上のサブジェスチャに基づいて前記装置に対する１つ以上の可能なコマンドを予測するステップと、
ユーザ・インタフェースによって前記１つ以上の可能なコマンドの後続するサブジェスチャを示すステップと、を含む、前記方法。
［付記１３］  前記後続するサブジェスチャは、前記ユーザ・インタフェース内に表示されるヒントによって表示され、前記ユーザによって実行される前記１つ以上のサブジェスチャのインジケーションもまた、前記ユーザ・インタフェース内に表示されている、付記１２に記載の方法。
［付記１４］  １つの可能なコマンドの前記後続するサブジェスチャが、前記装置によって認識されていると、前記ユーザ・インタフェースにおける他の可能なコマンドの前記後続するサブジェスチャを削除するステップをさらに含む、付記１２または１３に記載の方法。
［付記１５］  前記ヒントは、前記少なくとも１つのコマンドを完了させるために、前記後続するサブジェスチャの仕方についての情報と共に表示される、付記１２〜１４のいずれか１項に記載の方法。